【手続補正書】
【提出日】平成16年6月18日(2004.6.18)
【手続補正１】
【補正対象書類名】明細書
【補正対象項目名】全文
【補正方法】変更
【補正の内容】
【書類名】      明細書
【発明の名称】  折板屋根の防水構造
【特許請求の範囲】
【請求項１】  折板屋根の上に施す改修用の防水構造において、折板屋根の上に突出した締着材の高さと同じかもしくはそれより大きい厚みを有する枠材を、締着材を避けて設置するとともに、該枠材の上に下地板、そして防水シートを順次積層したことを特徴とする折板屋根の防水構造。
【発明の詳細な説明】
【０００１】
【発明の属する技術分野】
本発明は折板屋根の防水にかかわり、詳しくは主に補修に用いられ、防水性に優れるとともに、従来行われていなかった折板屋根へのシート防水を実現する発明に関するものである。
【０００２】
【従来の技術】
折板屋根は、体育館や屋根付きの広場、駐車場、ガソリンスタンドなどの広い場所の屋根としてよく使用されており、比較的厚物（０．５〜１．６ｍｍ）の亜鉛鉄板やカラー鉄板の長尺品などの金属板を用いて長手方向に一山または三山程度に折り曲げた屋根材でその接合は重ね型、はぜ締め型、かんな合型などの施工方法があり、屋根を形成していくものである。
【０００３】
この折板屋根は、経年後、緊結部のボルト、座金の錆の発生とパッキンの緩みが原因で漏水の発生となる。
また、海岸付近などでは折板自体の錆の発生も問題となっている。
【０００４】
そこで、一般的に用いられている折板屋根の補修方法としては、ボルト部などの問題となる部分をコーキング程度の補修をする方法、もしくはもっと大がかりな補修方法として、主にウレタンゴム系、アクリルゴム系、ゴムアスファルト系、不飽和ポリエステル樹脂系、エチレンビニルアセテート系などの塗膜防水を施す方法が行われている。
【０００５】
【発明が解決しようとする課題】
しかし、以上のような塗膜防水材は金属板と金属板との接合部の目地における温度変化による熱伸縮の動きや、強風などが原因の動きに対して追従することができず、当然他の部分より劣化が早く、早期に塗膜防水材の破断に至ってしまう。  また、現場での塗膜材の塗布は、屋根形状が複雑なために比較的困難であり、塗膜厚の管理も難しい。
【０００６】
漏水を防ぐために屋根表面に例えばゴム製の防水シートを敷設することが考えられるが折板屋根のような折曲げ部のある形状の屋根には防水シートが沿いにくく外観を悪くするとともに敷設作業も困難であるという問題がある。
そこで、以上のような課題を解決するためにシート防水改修工法を提案することを目的とする。
【０００７】
【課題を解決するための手段】
本発明では上記の目的を達成するために折板屋根の上に施す改修用の防水構造において、折板屋根の上に突出した締着材の高さと同じかもしくはそれより大きい厚みを有する枠材を、締着材を避けて設置するとともに、該枠材の上に下地板、そして防水シートを順次積層したことを特徴とする。
【０００８】
折板屋根の上面に枠材および下地板を設置することによって、表面が面一となるので通常の下時に敷設するのと同じように防水シートを敷設することができる。
【０００９】
【発明の実施の形態】
本発明の折板屋根１の防水構造を図１に示す。
折板屋根１とは、図１にも示すように波形に折り曲げて形成した金属製の板からなる屋根材を用いた屋根葺き方法であり、波形は頂面２の両側に斜面３、３が続き、斜面３の下端から底面４が延びており、その先は斜面３、頂面２と同様に続いている。そして夫々の面の間は折曲げ部５となっており、断面台形状の波形となっている。
【００１０】
通常、折板屋根１は頂面２と底面４が交互にある波形になっている形状で一波分の幅の金属部材を、多数並べて頂面２に相当する部分を重ねあわせてボルト止めすることによって屋根を形成している。よって、頂面２の部分には締着材６が多数突出していることになる。そのような折板屋根１が年月を経て、雨漏りを発生したとき、防水の改修などでよく使用されるシート防水工法は、締着材６が突出していることから、使用できない。
【００１１】
漏水が発生するのは多くの場合、締着材６の部分なので締着材６の部分にキャップを被せてキャップ内部にシール材を注入するなどの方法がよく取られている。締着材６以外の部分の改修には、塗膜防水材を塗ることによって改修とする場合が多い。しかし、長期にわたって防水効果を持続させるためには、シート防水を施すことが好ましく、締着材６があってもシート防水ができるような工夫をする必要がある。
【００１２】
本発明では、既存の折板屋根１の上から締着材６の突出している部分の長さと略等しいか少し長めの厚みを有する枠材７を設置し、更に枠材７の上に平板状の下地板８を設置することによって、波形表面でかつ締着材６が突出した、折板屋根１の表面を面一の平面状とし、その上から防水シート９を敷設するという構成を採っている。
【００１３】
そうすることによって、長期にわたって防水寿命の続くシート防水工法を折板屋根１の改修として施すことができる。
【００１４】
具体的には、図１に示しているように折板屋根１の４波分程度の長さを有する枠材７をボルト頭の部分を枠の内部もしくは外部にもってくるように折板屋根１の全面に設置し、続いて枠材７の上から下地板８を上から全面に配置している。
【００１５】
下地板８をボルトなどの締着材１０で既存折板屋根１の頂面２に締着固定し、その上に防水シート９を敷設接着することによって、本発明の折板屋根１の防水構造を施工することができる。
【００１６】
頂面２に締着材６が突出し、波形状の折板屋根１の上にまず枠材７を設置することによって締着材６による不陸が解消され、更に下地板８を設置することによって波形の不陸も解消されるので、面一の下地板８の表面に防水シート９を敷設することができる。よって、敷設は容易であり、例えば特定形状の型物を使用したり、強制的にシートを折り曲げたり、シートに切り込みを入れるなどの熟練を要する作業が必要でなくなる。
【００１７】
下地板８は、適宜既存折板屋根１の頂面２に別途ボルトなどの締着材１０を用いて固定し、強風などで飛ばされないようにしておく。下地板８の表面に防水シート９を全面敷設して、本発明の折板屋根１の防水構造が完成する。
【００１８】
枠材７として要求されることとしては、折板屋根１の波形状の頂面２にまたがって設置することができるだけの広さを有していることと、頂面２から突出している締着材６の長さと略等しいかそれ以上の厚みを有していることが挙げられる。
それ以外の部分では特に素材やサイズが限定されるものではないが、素材としてはアルミニウム、ステンレスなどの金属製の格子や、ポリ塩化ビニル、アクリロニトリル・スチレン・ブタジエン３元共重合体などの硬質樹脂などからなり、取り扱いの面から図２に示すような１００ｍｍ幅×４５０ｍｍ長さ〜３００ｍｍ幅×４５０ｍｍ長さ程度の格子状の枠材７が用いられる。形状も矩形状のものに限らず、円形やその他の形状でもよい。
【００１９】
下地板８は図３に示すような平板状のものであり、要求される性質としては、ある程度以上の曲げ強度と防水シート９との間の接着性が良好であることが挙げられる。
【００２０】
枠材７の上に設置して極端に枠間の空隙内に撓んで落ち込むようなものでは不適切であり、下地板８を折板屋根１の頂面２に締着材１０でしっかりと固定できるものであることが要求される。下地板８の枠間への落ち込みは、枠材７の枠間距離にも左右されるものであり、必要な曲げ強度は明確に範囲が決まるものでもないが、大体においてＪＩＳＡ１４０８に基づく曲げ試験で曲げ破壊荷重が２５ｋｇｆ以上の曲げ強度があれば充分である。用いることのできる素材の例としては合板、硬質石綿スレート板などの複合板や、高密度ポリエチレン、中密度ポリエチレン、ＡＢＳ樹脂などの硬質樹脂板が挙げられる。
【００２１】
もし、付加機能として屋根に断熱性を持たせようと思えば、下地板８として断熱性のある素材（例えば、樹脂の発泡体からなるもの）を用いることによって達成することができる。
下地板８を、下地に固定することによって前記枠材７も同時に既存の折板屋根１に固定することになるが、その固定方法としては、セルフドリルネジなどの締着材１０を用いて、下地板８の上から貫通させるとともに折板屋根の頂面２も同時に貫通させて固着することができる。セルフドリルネジを用いる場合のネジの固定強度は、折板屋根１の頂面２の厚みによって異なるため、その厚みによって適宜、ネジを設けるピッチを決める必要がある。
【００２２】
下地板８の表面に敷設する防水シート９としては、通常一般に用いられるのと同じ防水シート９を用いることができる。素材としては、エチレン・プロピレン・ターポリマー（ＥＰＴ）、ブチルゴム（ＩＩＲ）、クロロスルフォン化ポリエチレン（ＣＳＭ）などの加硫ゴム単独もしくはブレンド物からなるものや、中密度ポリエチレン樹脂、高密度ポリエチレン樹脂、塩化ビニル樹脂などの樹脂の単独もしくはブレンド物からなるもの、その他スチレン・ブタジエン・スチレン（ＳＢＳ）などからなる熱可塑性エラストマーからなる防水シート９が挙げられる。
【００２３】
外界に露出する用途で用いる部材であることから耐候性に優れている必要があり、そういう理由から言うと加硫ゴム、しかもＥＰＴもしくはＥＰＴとＩＩＲのブレンド物を用いることが好ましい。
【００２４】
防水シート９を下地へ接着するのは加硫ゴムシートを用いた場合、ブチルゴムまたはクロロプレンゴムなどのゴム系の接着剤を用い、樹脂製の防水シート９を用いた場合は、熱融着か溶着もしくは接着剤を用いることができる。防水シート９同士の接着においても加硫ゴムの場合はクロロプレンゴムなどのゴム系の接着剤を用いることができ、樹脂の場合は、熱融着や溶着、樹脂系の接着剤を用いることができる。
【００２５】
【実施例】
次に、具体的実施例を挙げて本発明の効果を確かめた。
実施例として２００ｍｍピッチの波形状でそれぞれ頂面と底面の幅が３５ｍｍである折板屋根に、アルミニウムからなり、厚みが締着材の突出部分と同じ４０ｍｍで枠部分の幅が５ｍｍ、広さは９１０ｍｍ×９１０ｍｍの枠材を折板屋根の全面に設置し、耐水ベニヤ板からなり、厚みが９ｍｍ、広さが９１０ｍｍ×１８２０ｍｍの下地板を前記枠材の上に配置して、セルフドリルネジ（φ５ｍｍ×７５ｍｍ）で下地板一枚につき６個所の割合で締着固定した。下地板の上にＥＰＤＭからなる防水シート（厚み１．５ｍｍ）を、クロロプレンゴム系の接着剤を用いて接着敷設した。
【００２６】
比較例１としては、実施例で用いた折板屋根と同じ物の締着材に軟質塩化ビニル樹脂からなるシール材を充填したキャップ材を被せ、締着材以外のところにウレタン系の塗膜防水剤を塗布した。塗布工程はウレタンプライマーおよびウレタン塗膜防水剤塗布の２工程である。
【００２７】
比較例２として、締着材以外のところにＥＰＴからなる防水シートを波形状の沿わせるように接着敷設し、締着材の部分は防水シートに切り込みを設けて締着材を突出させ上から比較例１と同様にシール材を充填したキャップ材を被せた。
【００２８】
実施例および比較例１〜２を実際に施工し、施工に要する時間と、施工を完了した後の外観状況と、施工完了して経日後の防水効果の保持状況を比較した。
その結果を表１に示す。
【００２９】
【表１】
1999050601.tif 000001
【００３０】
表１の結果からわかるように、施工に要する時間は実施例および比較例１と比べると比較例２では大幅にかかっており、防水シートを強制的に波形状に沿わせたり、締着材の部分に切り欠きを設ける作業が手数のかかる作業であることがわかる。
【００３１】
更に施工後の外観状況を比較しても、比較例２では防水シートを波形状に沿わせている個所には部分的に浮きが発生しており、実施例や比較例１よりも劣っていることがわかる。
【００３２】
施工してから経日後の防水効果の保持状況を比較してみると、実施例と比較例２では異常がないのに比べて、比較例１は締着材の部分で漏水が見られたり、締着材以外の塗膜防水部分にも塗りむらと思われる部分では漏水には、至っていないものの膜の劣化が見られており、長期に渡る防水には適していないことがわかる。
【００３３】
【発明の効果】
以上のように、本願発明の請求項１では、折板屋根の上に施す改修用の防水構造において、折板屋根の上に突出した締着材の高さと同じかもしくは大きい厚みを有する枠材を、締着材を避けるように設置するとともに、該枠材の上に下地板を設置し、該下地板の上に防水シートを敷設することを特徴とする。
【００３４】
折板屋根の上面に枠材および下地板を設置することによって、表面が面一となるので通常の下時に敷設するのと同じように防水シートを敷設することができる。
【図面の簡単な説明】
【図１】
本発明の折板屋根の防水構造を示す概要図である。
【図２】
枠材の平面図である。
【図３】
下地板の平面図である。
【符号の説明】
１    折板屋根
２    頂面
３    斜面
４    底面
５    折曲げ部
６    締着材
７    枠材
８    下地板
９    防水シート
１０  締着材
【手続補正２】
【補正対象書類名】図面
【補正対象項目名】全図
【補正方法】変更
【補正の内容】
【図１】
1999050601.tif 000002
【図２】
1999050601.tif 000003
【図３】
1999050601.tif 000004